(57)【要約】【課題】カード又はホルダの面やカード側接続端子又はホルダ側接続端子に相手側の接続端子が押付けられた状態で摺接することがなく、カードの面、ホルダの面、カード側接続端子及びホルダ側接続端子が損傷を受けることを防止することができ、カードの面、ホルダの面、カード側接続端子及びホルダ側接続端子の耐久性を高め、信頼性を向上させることができるようにする。【解決手段】トレイ又はトレイホルダのうちの一方の部材はガイド突起を備え、他方の部材はガイド突起をガイドするガイド通路を備え、ガイド通路は、ガイド突起が通過することによって、一方の部材が他方の部材に接近する段差部を備え、トレイとトレイホルダとの結合が完了する直前にガイド突起が段差部を通過し、カード側接続端子がホルダ側接続端子に押付けられる。【選択図】図１
2006324195.tif 000002
【特許請求の範囲】
【請求項１】
（ａ）一面にカード側接続端子（５２）を備えるカード（５１）を、前記カード側接続端子（５２）が露出するように収容するトレイ（４１）と、
（ｂ）前記一面と対向する面に前記カード側接続端子（５２）に当接するホルダ側接続端子（１６）を備え、前記トレイ（４１）をスライドさせて結合するトレイホルダ（１１）とを有するトレイ式カードソケット（１０）であって、
（ｃ）前記トレイ（４１）又はトレイホルダ（１１）のうちの一方の部材（１１、４１）はガイド突起（４６）を備え、他方の部材（１１、４１）は前記ガイド突起（４６）をガイドするガイド通路（１７）を備え、
（ｄ）該ガイド通路（１７）は、前記ガイド突起（４６）が通過することによって、前記一方の部材（１１、４１）が他方の部材（１１、４１）に接近する段差部（１７ａ）を備え、
（ｅ）前記トレイ（４１）とトレイホルダ（１１）との結合が完了する直前に前記ガイド突起（４６）が段差部（１７ａ）を通過し、前記カード側接続端子（５２）がホルダ側接続端子（１６）に押付けられることを特徴とするトレイ式カードソケット（１０）。
【請求項２】
前記カード側接続端子（５２）及びホルダ側接続端子（１６）は、前記トレイ（４１）がスライドする方向に関して複数の列を形成するように配設される請求項１に記載のトレイ式カードソケット（１０）。
【請求項３】
（ａ）前記ガイド突起は、前側に形成された第１ガイド突起（４６）及び後側に形成された第２ガイド突起（４７）を含み、
（ｂ）前記段差部は、奥側に形成された第１段差部（１７ａ）及び入口側に形成された第２段差部（１７ｂ）を含み、
（ｃ）前記第１ガイド突起（４６）及び第２ガイド突起（４７）は、同時に前記第１段差部（１７ａ）及び第２段差部（１７ｂ）を各々通過する請求項１又は２に記載のトレイ式カードソケット（１０）。
【請求項４】
（ａ）前記ガイド突起は、前側に形成された第１ガイド突起（４６）及び後側に形成された傾斜面を備える第２ガイド突起（４７）を含み、
（ｂ）前記ガイド通路（１７）は傾斜面を備える開放端部を含み、
（ｃ）前記第１ガイド突起（４６）は前記段差部（１７）を通過し、前記第２ガイド突起（４７）の傾斜面は前記ガイド通路（１７）の開放端部に当接して前記ガイド通路（１７）に挿入される請求項１又は２に記載のトレイ式カードソケット（１０）。
【請求項５】
前記一方の部材（１１、４１）は、他方の部材（１１、４１）の離脱を防止するロック部材（１８）を備える請求項１〜４のいずれか１項に記載のトレイ式カードソケット（１０）。
【請求項６】
前記ホルダ側接続端子（１６）又はカード側接続端子（５２）のうちのいずれか一方の接続端子（１６、５２）は、ばね性を備え、他方の接続端子（１６、５２）に弾性的に当接する請求項１〜５のいずれか１項に記載のトレイ式カードソケット（１０）。
【発明の詳細な説明】
【技術分野】
【０００１】
本発明は、トレイ式カードソケットに関するものである。
【背景技術】
【０００２】
従来、携帯電話機、ＰＤＡ（Ｐｅｒｓｏｎａｌ  Ｄｉｇｉｔａｌ  Ａｓｓｉｓｔａｎｔ）等の電子機器においては、ＳＩＭ（Ｓｕｂｓｃｒｉｂｅｒ  Ｉｄｅｎｔｉｔｙ  Ｍｏｄｕｌｅ）カードのような小型のメモリカード等のカードをカードソケットを介して装着することができるようになっている（例えば、特許文献１〜３参照。）。
【０００３】
図１０は従来のトレイ式カードソケットを示す図である。
【０００４】
図において、３０１はトレイホルダであり、３０２は図示されないメモリカード等のカードを保持するトレイであり、前記トレイホルダ３０１に装着される。前記トレイ３０２は、下面にカードが嵌（はめ）込まれる凹部を備え、該凹部に嵌込まれたカードを保持用板ばね部材３０３によって保持する。なお、前記カードは、一面に配設された複数のコンタクトパッドを備えるものであり、該コンタクトパッドが配設された面が下を向くようにトレイホルダ３０１に装着される。そのため、カードが装着されたトレイ３０２の下面には、カードのコンタクトパッドが露出した状態となる。なお、該コンタクトパッドは、トレイ３０２の前後方向（図における左下と右上とを結ぶ方向）に関して二列になるように配設されている。
【０００５】
また、前記トレイホルダ３０１は、トレイ３０２を収容する矩（く）形のトレイ収容凹部、及び、該トレイ収容凹部の周囲の三方を取囲む壁部材を有する。そして、前記トレイ収容凹部の底壁には、前記カードのコンタクトパッドと接続される接続端子３０４が配設されている。該接続端子３０４は、前記カードのコンタクトパッドに対応して、二列になるように配設されている。なお、前記トレイ収容凹部の底壁には、接続端子用凹部が複数形成され、接続端子３０４の各々は各接続端子用凹部内に収容されている。そして、前記接続端子３０４は、ばね性を備え、カンチレバー状に形成され、先端近傍の接続部がトレイ収容凹部の底壁面より上方に突出し、前記カードのコンタクトパッドに当接するようになっている。また、前記トレイホルダ３０１の後方には、接続端子３０４に導通するはんだ端子３０５が突出している。該はんだ端子３０５は、前記電子機器における配線基板等に形成された信号線、コンタクトパッド、端子等、すなわち、相手側端子部材にはんだ付けされて電気的に接続される。
【０００６】
そして、トレイホルダ３０１の側壁を形成する壁部材の各々には、トレイホルダ３０１の前後方向に延在するガイド溝３０６及び３０７が形成されている。一方、トレイ３０２の側面の各々には、トレイ３０２の前後方向に延在し、前記ガイド溝３０６及び３０７に嵌り込むガイド突起３０８及び３０９が形成されている。そして、前記トレイホルダ３０１の前方から後方に向けて、トレイ収容凹部内に前記トレイ３０２が挿入される。この場合、ガイド突起３０８及び３０９がガイド溝３０６及び３０７に嵌り込んでスライドしながら、トレイ３０２がトレイ収容凹部内に挿入される。そして、トレイ３０２がトレイ収容凹部内に完全に収容されると、接続端子３０４の各々がカードの対応するコンタクトパッドに当接し、カードのトレイ式カードソケットへの装着が完了する。これにより、前記電子機器の相手側端子部材とカードのコンタクトパッドとが電気的に接続される。
【特許文献１】特開２００２−２８０１１４号公報
【特許文献２】特開２００２−３７３７３３号公報
【特許文献３】特開２００３−３６９３５号公報
【発明の開示】
【発明が解決しようとする課題】
【０００７】
しかしながら、前記従来のトレイ式カードソケットは、トレイ３０２をトレイホルダ３０１のトレイ収容凹部内に挿入したり取出したりする際に、接続端子３０４の接続部がカードの面や該面に配設されたコンタクトパッドに摺（しゅう）接するので、カードの面やコンタクトパッドが削れたり捲（まく）れたりして、損傷を受けてしまう。
【０００８】
前記接続端子３０４は、先端近傍の接続部がトレイ収容凹部の底壁面より上方に突出し、接続端子３０４自体のばね性によって、コンタクトパッドに押付けられるようにして当接するようになっている。すなわち、前記接続端子３０４の接続部は、所定の接圧をコンタクトパッドに付与するようになっている。そのため、トレイ３０２をトレイホルダ３０１のトレイ収容凹部内に挿入したり取出したりする際に、接続端子３０４の接続部は、カードの面やコンタクトパッドに所定の接圧を付与しながら、カードの面やコンタクトパッドに摺接する。これにより、カードのトレイ式カードソケットへの装着及び取外しを繰返すと、カードの面を形成する樹脂材料が削れて導通不良が発生することがある。また、コンタクトパッドの表面に施された金の表面めっき被膜やニッケルの下地めっき被膜が摩耗して銅等の母材金属が露出し、腐食してしまうことがある。さらに、接続端子３０４もカードの面やコンタクトパッドに摺接することによって損傷を受けてしまう。
【０００９】
また、コンタクトパッドがトレイ３０２の前後方向に関して二列になるように配設されている場合、それに対応して接続端子３０４も二列になるように配設されているので、挿入方向に関して後尾側のコンタクトパッドは、トレイホルダ３０１のトレイ収容凹部入口側の接続端子３０４によって摺接されるだけであるのに対し、挿入方向に関して先頭側のコンタクトパッドは、トレイホルダ３０１のトレイ収容凹部入口側の接続端子３０４及び奥側の接続端子３０４によって摺接されることになる。そのため、挿入方向に関して先頭側のコンタクトパッドは、後尾側のコンタクトパッドの二倍の損傷を受けることになり、二倍の耐久性を備える必要がある。さらに、トレイホルダ３０１のトレイ収容凹部入口側の接続端子３０４も、トレイ収容凹部奥側の接続端子３０４の二倍の損傷を受けることになり、二倍の耐久性を備える必要がある。
【００１０】
本発明は、前記従来のトレイ式カードソケットの問題点を解決して、ガイド突起をガイドするガイド通路に段差部を設け、トレイをトレイホルダに結合する際に、結合が完了する直前にトレイに収容されたカードのカード側接続端子とホルダ側接続端子とが互いに押付けられるようにして、カード又はホルダの面やカード側接続端子又はホルダ側接続端子に相手側の接続端子が押付けられた状態で摺接することがなく、カードの面、ホルダの面、カード側接続端子及びホルダ側接続端子が損傷を受けることを防止することができ、カードの面、ホルダの面、カード側接続端子及びホルダ側接続端子の耐久性を高め、信頼性を向上させることができるトレイ式カードソケットを提供することを目的とする。
【課題を解決するための手段】
【００１１】
そのために、本発明のトレイ式カードソケットにおいては、一面にカード側接続端子を備えるカードを、前記カード側接続端子が露出するように収容するトレイと、前記一面と対向する面に前記カード側接続端子に当接するホルダ側接続端子を備え、前記トレイをスライドさせて結合するトレイホルダとを有するトレイ式カードソケットであって、前記トレイ又はトレイホルダのうちの一方の部材はガイド突起を備え、他方の部材は前記ガイド突起をガイドするガイド通路を備え、該ガイド通路は、前記ガイド突起が通過することによって、前記一方の部材が他方の部材に接近する段差部を備え、前記トレイとトレイホルダとの結合が完了する直前に前記ガイド突起が段差部を通過し、前記カード側接続端子がホルダ側接続端子に押付けられる。
【００１２】
本発明の他のトレイ式カードソケットにおいては、さらに、前記カード側接続端子及びホルダ側接続端子は、前記トレイがスライドする方向に関して複数の列を形成するように配設される。
【００１３】
本発明の更に他のトレイ式カードソケットにおいては、さらに、前記ガイド突起は、前側に形成された第１ガイド突起及び後側に形成された第２ガイド突起を含み、前記段差部は、奥側に形成された第１段差部及び入口側に形成された第２段差部を含み、前記第１ガイド突起及び第２ガイド突起は、同時に前記第１段差部及び第２段差部を各々通過する。
【００１４】
本発明の更に他のトレイ式カードソケットにおいては、さらに、前記ガイド突起は、前側に形成された第１ガイド突起及び後側に形成された傾斜面を備える第２ガイド突起を含み、前記ガイド通路は傾斜面を備える開放端部を含み、前記第１ガイド突起は前記段差部を通過し、前記第２ガイド突起の傾斜面は前記ガイド通路の開放端部に当接して前記ガイド通路に挿入される。
【００１５】
本発明の更に他のトレイ式カードソケットにおいては、さらに、前記一方の部材は、他方の部材の離脱を防止するロック部材を備える。
【００１６】
本発明の更に他のトレイ式カードソケットにおいては、さらに、前記ホルダ側接続端子又はカード側接続端子のうちのいずれか一方の接続端子は、ばね性を備え、他方の接続端子に弾性的に当接する。
【発明の効果】
【００１７】
本発明によれば、トレイ式カードソケットは、ガイド突起をガイドするガイド通路に段差部を設け、トレイをトレイホルダに結合する際に、結合が完了する直前にトレイに収容されたカードのカード側接続端子とホルダ側接続端子とが互いに押付けられるようになっている。そのため、カード又はホルダの面やカード側接続端子又はホルダ側接続端子に相手側の接続端子が押付けられた状態で摺接することがなく、カードの面、ホルダの面、カード側接続端子及びホルダ側接続端子が損傷を受けることを防止することができ、カードの面、ホルダの面、カード側接続端子及びホルダ側接続端子の耐久性を高め、信頼性を向上させることができる。
【発明を実施するための最良の形態】
【００１８】
以下、本発明の実施の形態について図面を参照しながら詳細に説明する。
【００１９】
図１は本発明の第１の実施の形態におけるトレイ式カードソケットのカード装着前の状態を示す上方から見た斜視図、図２は本発明の第１の実施の形態におけるトレイ式カードソケットのカード装着前の状態を示す下方から見た斜視図である。
【００２０】
図１及び２において、１０は本実施の形態におけるトレイ式カードソケットであり、図示されない電子機器に取付けられる。そして、前記トレイ式カードソケット１０の内部にはカード５１が装着され、前記トレイ式カードソケット１０を介して、前記電子機器にカード５１が装着される。なお、前記電子機器は、例えば、携帯電話機、ＰＤＡ等であるが、いかなる種類の機器であってもよい。
【００２１】
また、カード５１は、例えば、ＳＩＭカード等のＩＣカードであり、いかなる種類のカードであってもよいが、本実施の形態においては、ＳＩＭカードであるものとして説明する。また、本実施の形態において、トレイ式カードソケット１０の各部の構成及び動作を説明するために使用される上、下、左、右、前、後等の方向を示す表現は、絶対的なものでなく相対的なものであり、トレイ式カードソケット１０又はその部品が図に示される姿勢である場合に適切であるが、トレイ式カードソケット１０又はその部品の姿勢が変化した場合には姿勢の変化に応じて変更して解釈されるべきものである。
【００２２】
ここで、前記トレイ式カードソケット１０は、合成樹脂等の絶縁材によって一体的に形成されたトレイホルダ１１と、合成樹脂等の絶縁材によって一体的に形成され、前記トレイホルダ１１に対してスライドさせて結合するトレイ４１とを有する。前記カード５１はトレイ４１内に収容され、カード５１を収容するトレイ４１がトレイホルダ１１内に収容されて結合されることによって、カード５１がトレイ式カードソケット１０の内部に装着される。
【００２３】
そして、前記トレイ４１は、矩形状の天板部４４、及び、該天板部４４の四方の周縁に沿って延在し、天板部４４から下向きに立設する保持壁部４２を有する。そして、該保持壁部４２によって囲まれた天板部４４下側の略矩形状の下向き凹部が、カード５１を収容して保持するカード保持凹部４３として機能する。また、前記保持壁部４２は、天板部４４の手前縁（図２における左上側縁）に沿って延在する手前壁部４２ａ、天板部４４の両側の側縁に沿って延在する第１側壁部４２ｂ及び第２側壁部４２ｃ、並びに、天板部４４の奥縁（図２における右下側縁）に沿って延在する奥壁部４２ｄから成る。そして、前記保持壁部４２の内側面によって規定されるカード保持凹部４３の大きさは、カード５１の大きさよりわずかに大きい程度であり、また、カード保持凹部４３の平面形状は、カード５１の平面形状と同様である。図示される例において、カード５１は略矩形の平面形状を有するが、一つの角部に切欠きが形成されている。そのため、カード保持凹部４３の平面形状も一つの角部に切欠きが形成された略矩形となっている。
【００２４】
また、第１側壁部４２ｂには、カンチレバー状のカード保持用板ばね部材４５が取付けられ、該カード保持用板ばね部材４５の自由端は、第１側壁部４２ｂの内側壁面からカード保持凹部４３内に突出している。そして、前記カード保持用板ばね部材４５の自由端がカード保持凹部４３内に収容されたカード５１の側面を押圧することによって、該カード５１がカード保持凹部４３内に保持される。なお、カード５１は、カード側接続端子としてのコンタクトパッド５２が下を向くようにして、前記カード保持凹部４３内に収容されて保持される。ここで、コンタクトパッド５２は、カード５１の一方の面（図２における下面）に複数、例えば、八個配設され、かつ、トレイ４１がトレイホルダ１１内に対してスライドする方向（図２における左上と右下とを結ぶ方向）に関して二列になるように配設されている。
【００２５】
さらに、第１側壁部４２ｂの外側壁面には外方へ突出する第１ガイド突起４６−１及び第２ガイド突起４７−１が形成されている。ここで、第１ガイド突起４６−１は前側、すなわち、トレイ４１をトレイホルダ１１内に挿入する方向に関して前寄りの位置に配設され、第２ガイド突起４７−１は後側、すなわち、トレイ４１をトレイホルダ１１内に挿入する方向に関して後寄りの位置に配設されている。また、第２側壁部４２ｃの外側壁面には外方へ突出する第１ガイド突起４６−２及び第２ガイド突起４７−２が形成されている。そして、第１ガイド突起４６−２は前側、すなわち、トレイ４１をトレイホルダ１１内に挿入する方向に関して前寄りの位置に配設され、第２ガイド突起４７−２は後側、すなわち、トレイ４１をトレイホルダ１１内に挿入する方向に関して後寄りの位置に配設されている。なお、第１側壁部４２ｂ及び第２側壁部４２ｃの第１ガイド突起４６−１及び第１ガイド突起４６−２並びに第２ガイド突起４７−１及び第２ガイド突起４７−２を統合して説明する場合には、第１ガイド突起４６及び第２ガイド突起４７として説明する。なお、第１ガイド突起４６は第２ガイド突起４７より低い位置に配設される。また、第２ガイド突起４７の手前側端部には、トレイホルダ１１の後述されるガイド溝１７の開放端部に当接することによって、トレイ４１のトレイホルダ１１に対する位置を決める位置決め突起４７ａが形成されている。該位置決め突起４７ａの傾斜面、すなわち、第２ガイド突起４７の傾斜面は、ガイド溝１７の開放端部の傾斜面に当接し、ガイド溝１７に挿入されることによって、トレイ４１を下方に移動させてトレイホルダ１１に接近させる機能を備える。
【００２６】
そして、トレイホルダ１１は、矩形状の底板部１４、及び、該底板部１４の三方の周縁に沿って延在し、底板部１４から立設する壁部１２を有する。そして、該壁部１２によって囲まれた底板部１４上の矩形の凹部が、トレイ４１を収容するトレイ収容部１３として機能する。また、前記壁部１２は、底板部１４の奥縁（図１における右上側縁）に沿って延在する奥壁部１２ａ、並びに、底板部１４の両側の側縁に沿って延在する第１側壁部１２ｂ及び第２側壁部１２ｃから成る。そして、底板部１４の手前縁（図１における左下側縁）は、壁部１２が存在せずに開放されており、前記トレイ収容部１３にトレイ４１を挿入するために挿入口１３ａとして機能する。
【００２７】
また、底板部１４には、接続端子収容孔（こう）１５が複数形成され、該接続端子収容孔１５の各々の中に、カード側接続端子としてのコンタクトパッド５２に当接するホルダ側接続端子としての接続端子１６が１つずつ配設されている。ここで、前記接続端子収容孔１５及び接続端子１６は、コンタクトパッド５２と同数だけ配設され、かつ、該コンタクトパッド５２と同様に、トレイ４１をトレイホルダ１１内に挿入する方向に関して二列になるように配設されている。これにより、カード５１を保持したトレイ４１がトレイホルダ１１のトレイ収容部１３内に完全に挿入された状態で、コンタクトパッド５２の各々に接続端子１６の各々が当接し、対応するコンタクトパッド５２と接続端子１６とが電気的に導通する。なお、前記接続端子収容孔１５の底面を塞（ふさ）ぐことによって、接続端子収容凹部とすることもできる。
【００２８】
そして、前記接続端子１６は、金属板等のばね性を備える導電性の板材から成り、カンチレバー状に形成され、根本部が底板部１４内に埋設されて固定され、先端近傍の接続部が底板部１４の上面より上方に突出し、前記コンタクトパッド５２に弾性的に当接するようになっている。また、前記トレイホルダ１１の後方には、接続端子１６の各々と導通するはんだ端子２３が突出している。該はんだ端子２３は、前記金属板等の導電性の板材から成り、電子機器における配線基板等に形成された信号線、コンタクトパッド、端子等、すなわち、相手側端子部材にはんだ付けされて電気的に接続される。
【００２９】
また、第１側壁部１２ｂ及び第２側壁部１２ｃの内側壁面には、トレイ４１をトレイホルダ１１内にガイドするガイド通路として、トレイホルダ１１の前後方向、すなわち、トレイ４１をトレイホルダ１１内に挿入する方向に延在するガイド溝１７−１及びガイド溝１７−２が各々形成されている。なお、第１側壁部１２ｂ及び第２側壁部１２ｃのガイド溝１７−１及びガイド溝１７−２を統合して説明する場合には、ガイド溝１７として説明する。該ガイド溝１７は、奥側の端部が閉じて手前側（挿入口１３ａ側）、すなわち、入口側の端部が開放されており、トレイ４１の第１ガイド突起４６及び第２ガイド突起４７は、開放端部からガイド溝１７内に挿入される。
【００３０】
ここで、該ガイド溝１７は、奥側に形成された第１段差部１７ａ及び入口側に形成された第２段差部１７ｂを有する。そして、前記ガイド溝１７の少なくとも上面の位置は、開放端部から奥側の端部に向けて進行するに従い、次のように変化するように形成されている。すなわち、開放端部において最も高く、そのままの高さで底板部１４上面と平行に進行し、第２段差部１７ｂにおいて一段低下し、そのままの高さで底板部１４上面と平行に進行し、第１段差部１７ａにおいて更に一段低下し、そのままの高さで底板部１４上面と平行に進行し奥側の端部に到達する。なお、第１段差部１７ａ及び第２段差部１７ｂの前後におけるガイド溝１７の少なくとも上面の差は、トレイ４１の第１ガイド突起４６と第２ガイド突起４７の高さの差と同一である。また、第２段差部１７ｂから第１段差部１７ａまでの距離は、トレイ４１の第２ガイド突起４７における前側の端部から第１ガイド突起４６における前側の端部までの距離と同一である。これにより、第１ガイド突起４６が第１段差部１７ａを通過する時に第２ガイド突起４７が第２段差部１７ｂを同時に通過し、トレイ４１は、底板部１４と平行な状態を保ちながら下方に移動させられ、トレイホルダ１１に接近させられる。
【００３１】
そして、第１側壁部１２ｂの手前側の端面には、トレイ収容部１３内に収容されたトレイ４１がトレイ収容部１３から離脱することを防止するロック部材としてのロックレバー１８が取付けられている。該ロックレバー１８は、回動軸１８ａを中心に回動するように取付けられている。また、底板部１４には、第１側壁部１２ｂ及び第２側壁部１２ｃに沿って延在するように第１収容凹部２２−１及び第２収容凹部２２−２が形成されている。該第１収容凹部２２−１及び第２収容凹部２２−２には、トレイ４１の第１側壁部４２ｂ及び第２側壁部４２ｃの下面部が収容される。さらに、トレイホルダ１１の第１側壁部１２ｂ及び第２側壁部１２ｃの外側壁面には、金属板等の板材から成るネイル２１が取付けられている。該ネイル２１は、トレイホルダ１１を電子機器における配線基板等に固定するために、該配線基板等に形成された接続部に固定される。
【００３２】
次に、前記構成のトレイ式カードソケット１０のトレイホルダ１１にトレイ４１を介してカード５１を装着する動作について説明する。
【００３３】
図３は本発明の第１の実施の形態におけるカードを保持するトレイをトレイホルダに挿入する前の状態を示す下方から見た斜視図、図４は本発明の第１の実施の形態におけるカードを保持するトレイをトレイホルダに挿入する途中の状態を示す上方から見た斜視図、図５は本発明の第１の実施の形態におけるカードを保持するトレイのトレイホルダへの挿入が完了した状態を示す上方から見た斜視図、図６は本発明の第１の実施の形態におけるカードを保持するトレイのトレイホルダへの挿入が完了した状態を示す断面図である。
【００３４】
まず、トレイ４１のカード保持凹部４３内にカード５１をセットする。この場合、図３に示されるように、コンタクトパッド５２が下を向くようにカード５１をセットする。前記カード保持凹部４３内に収容されたカード５１は、カード保持用板ばね部材４５によって保持される。また、ロックレバー１８は、底板部１４に対して起立した状態となっており、トレイホルダ１１の挿入口１３ａが開放されている。
【００３５】
そして、カード５１を保持するトレイ４１を、図３に示されるように、トレイホルダ１１の挿入口１３ａの手前に位置させ、この状態からトレイ４１をトレイホルダ１１に向けて移動させ、トレイ収容部１３内に挿入する。この場合、トレイホルダ１１のガイド溝１７にトレイ４１の第１ガイド突起４６及び第２ガイド突起４７を順次挿入するようにして、トレイ４１をトレイ収容部１３内に挿入する。なお、第２ガイド突起４７は、第１ガイド突起４６が第２段差部１７ｂを通過した後にガイド溝１７内に進入する。そのため、トレイ４１をトレイ収容部１３内に挿入する初期の段階では、図４に示されるように、第２ガイド突起４７はガイド溝１７内に進入しておらず、第１ガイド突起４６のみがガイド溝１７によってガイドされた状態で、トレイ４１がトレイ収容部１３内に挿入される。
【００３６】
この場合、第１ガイド突起４６は、ガイド溝１７における第２段差部１７ｂから第１段差部１７ａまでの範囲を通過する。そして、該範囲におけるガイド溝１７の位置は、第１段差部１７ａより奥側の範囲における位置よりも高くなっている。そのため、トレイ４１に保持されたカード５１の下面と底板部１４の上面とがある程度離れた状態を保ちながら、トレイ４１を進行させることができる。これにより、該トレイ４１がトレイ収容部１３内に挿入する際に、底板部１４の上面より上方に突出している接続端子１６の接続部は、コンタクトパッド５２を含むカード５１の下面に接触することがない。また、接触したとしても、カード５１の下面と底板部１４の上面とがある程度離れているので、接続端子１６のばね力が弱くなっており、押付けられることがない。したがって、接続端子１６の接続部がコンタクトパッド５２を含むカード５１の下面に押付けられた状態で摺接することを防止することができる。
【００３７】
そして、前記トレイ４１を更に進行させると、第２ガイド突起４７がガイド溝１７内に進入する。続いて、第１ガイド突起４６が第１段差部１７ａを通過すると、第２ガイド突起４７も第２段差部１７ｂを同時に通過する。これにより、該トレイ４１が底板部１４と平行な状態を保ちながら下方に移動させられ、底板部１４の上面に接近させられ、トレイ４１の第１側壁部４２ｂ及び第２側壁部４２ｃの下面部が、第１収容凹部２２−１及び第２収容凹部２２−２に収容される。そして、カード５１の下面が底板部１４の上面に接近するので、接続端子１６のばね力が強くなり、各接続端子１６の接続部が対応するコンタクトパッド５２に押付けられる。これにより、各接続端子１６の接続部と対応するコンタクトパッド５２とが電気的に確実に接続される。
【００３８】
続いて、第２ガイド突起４７の位置決め突起４７ａがガイド溝１７の開放端部に挿入されると、トレイ４１の先端部がトレイホルダ１１の奥壁部１２ａの内面に当接し、トレイ４１の進行が停止させられ、カード５１を保持するトレイ４１が位置決めされ、該トレイ４１の挿入が完了する。また、前記位置決め突起４７ａの傾斜面がガイド溝１７の開放端部の傾斜面に当接し、ガイド溝１７に挿入されることによって、下方に移動させる力が更にトレイ４１に加えられる。続いて、ロックレバー１８を回動させて横臥（が）した状態にし、図５に示されるように、第１側壁部４２ｂの手前側端面に係止させてトレイ４１をロックする。これにより、該トレイ４１がトレイホルダ１１内から抜出ることが防止され、カード５１のトレイ式カードソケット１０への装着が完了する。この状態においては、図６に示されるように、接続端子１６は、コンタクトパッド５２によって下方に押されて変形し、接続端１６の大分部が接続端子収容孔１５内に収容されている。そのため、接続端子１６のばね力が強くなっており、接続端子１６の接続部とコンタクトパッド５２との接圧が強くなっている。
【００３９】
次に、トレイ４１をトレイホルダ１１に挿入する際の第１ガイド突起４６及び第２ガイド突起４７とガイド溝１７との位置関係について詳細に説明する。
【００４０】
図７は本発明の第１の実施の形態における第１ガイド突起及び第２ガイド突起とガイド溝との位置関係を示す断面図である。なお、図７においては、第１ガイド突起及び第２ガイド突起並びにガイド溝以外の部材の図示が適宜省略されている。
【００４１】
まず、トレイ４１をトレイホルダ１１の挿入口１３ａの手前に位置させ、トレイ４１をトレイ収容部１３内に挿入する直前の状態が図７（ａ）に示されている。図７（ａ）から、第１ガイド突起４６が第２ガイド突起４７より低い位置に配設されていることが分かる。
【００４２】
続いて、トレイ４１をトレイホルダ１１に向けて移動させ、該トレイホルダ１１のガイド溝１７にトレイ４１の第１ガイド突起４６を挿入した状態が図７（ｂ）に示されている。この状態において、第２ガイド突起４７は未だガイド溝１７に挿入されておらず、第１ガイド突起４６の奥側端部は第１段差部１７ａを通過した直後である。そして、トレイ４１の進行によって、第１ガイド突起４６は、ガイド溝１７における第２段差部１７ｂから第１段差部１７ａまでの範囲を通過する。
【００４３】
続いて、前記トレイ４１が更に進行し、第１ガイド突起４６が第１段差部１７ａに接近すると、第２ガイド突起４７がガイド溝１７内に進入する。そして図７（ｃ）に示されるように、第１ガイド突起４６の奥側端部が第１段差部１７ａに到達すると、第２ガイド突起４７の奥側端部も第２段差部１７ｂに同時に到達する。この場合、第１ガイド突起４６は第２ガイド突起４７より低い位置に配設されているが、第２段差部１７ｂの前後におけるガイド溝１７の上面の差がトレイ４１の第１ガイド突起４６と第２ガイド突起４７の高さの差と同一であるので、トレイ４１及びカード５１の下面と底板部１４の上面とは平行に保持される。
【００４４】
続いて、前記トレイ４１が更に進行し、第１ガイド突起４６の奥側端部が第１段差部１７ａを通過すると、第２ガイド突起４７の奥側端部も第２段差部１７ｂを同時に通過する。これにより、トレイ４１及びカード５１の下面が底板部１４の上面と平行な状態を保ちながら下方に移動させられ、底板部１４の上面に接近させられる。そして、図７（ｄ）に示されるように、第２ガイド突起４７の位置決め突起４７ａがガイド溝１７の開放端部に当接し、ガイド溝１７に挿入されると、トレイ４１の先端部がトレイホルダ１１の奥壁部１２ａの内面に当接し、トレイ４１の進行が停止させられ、該トレイ４１の挿入が完了し、カード５１を保持するトレイ４１が位置決めされる。
【００４５】
なお、図７（ｄ）から分かるように、第１ガイド突起４６の奥側端部及び第２ガイド突起４７の奥側端部が第１段差部１７ａ及び第２段差部１７ｂを通過して、トレイ４１及びカード５１の下面が下方に移動させられるのは、トレイ４１の挿入が完了してカード５１を保持するトレイ４１が位置決めされる直前である。そのため、各接続端子１６の接続部が対応するコンタクトパッド５２に押付けられた状態で、トレイ４１が進行する距離は短くなっている。
【００４６】
このように、本実施の形態においては、トレイ４１をトレイホルダ１１内にガイドするガイド溝１７に第１段差部１７ａ及び第２段差部１７ｂを設け、トレイ４１をトレイホルダ１１内に挿入する際に、挿入が完了する直前にトレイ４１に収容されたカード５１のコンタクトパッド５２がトレイホルダ１１の接続端子１６に押付けられるようになっている。
【００４７】
そのため、該接続端子１６が、カード５１の下面において対応するコンタクトパッド５２以外の面、すなわち、対応しないコンタクトパッド５２の面やコンタクトパッド５２の存在しない面に押付けられた状態で摺接することを防止することができる。
【００４８】
ここで、対応しないコンタクトパッド５２とは、手前側の列に配設されている接続端子１６に対しての、トレイ４１をトレイホルダ１１内に挿入する方向に関して前寄りの列に配設されているコンタクトパッド５２のことである。すなわち、接続端子１６及びコンタクトパッド５２が、トレイ４１をトレイホルダ１１内に挿入する方向に関して複数列を形成するように配設されている場合、各列における幅方向の配列がほぼ同様であるとすると、トレイ４１が挿入される際に、最も後寄りの列以外のコンタクトパッド５２は、対応しない列の接続端子１６の上方を通過する。また、同様に、最も奥側の列以外の接続端子１６は、対応しない列のコンタクトパッド５２の下方を相対的に通過する。そのため、カード５１の下面が底板部１４の上面に接近した状態でトレイ４１をトレイホルダ１１内に挿入すると、最も後寄りの列以外のコンタクトパッド５２に、対応しない列の接続端子１６が押付けられた状態で摺接することになる。それに対し、本実施の形態においては、挿入が完了する直前までは、カード５１の下面が底板部１４の上面から離間した状態でトレイ４１をトレイホルダ１１内に挿入されるので、コンタクトパッド５２に対応しない列の接続端子１６が接触しないか、又は、接触しても、接続端子１６のばね力が弱くなっており、押付けられることがない。したがって、接続端子１６が対応しない列のコンタクトパッド５２に押付けられた状態で摺接することを防止することができる。また、コンタクトパッド５２の存在しない面についても同様である。
【００４９】
さらに、トレイ４１が下方に移動させられるのは、トレイ４１の挿入が完了して位置決めされる直前であるので、接続端子１６が対応するコンタクトパッド５２に押付けられた状態で摺接する距離を短くすることができる。
【００５０】
したがって、カード５１の下面、コンタクトパッド５２及び接続端子１６が損傷を受けることを防止することができ、カード５１の下面、コンタクトパッド５２及び接続端子１６の耐久性を高め、信頼性を向上させることができる。
【００５１】
また、前記第１段差部１７ａ及び第２段差部１７ｂの段差の大きさを調整することによって、トレイ４１が下方に移動する量を調節し、それにより、カード５１の下面が接続端子１６を押下げる量を調整することによって、接続端子１６のばね力を調節することができる。そのため、接続端子１６と対応するコンタクトパッド５２とが当接する接圧の大きさを容易に調整することができる。
【００５２】
なお、本実施の形態においては、接続端子１６がばね性を有するものである場合について説明したが、前記コンタクトパッド５２に代えてばね性を有する接続端子をカード５１の下面に配設し、接続端子１６に代えてパッド状の接続端子を底板部１４の上面に配設することもできる。この場合、底板部１４の上面がカード５１の下面に配設された接続端子によって損傷を受けることが防止される。
【００５３】
次に、本発明の第２の実施の形態について説明する。なお、第１の実施の形態と同じ構造を有するものについては、同じ符号を付与することによってその説明を省略する。また、前記第１の実施の形態と同じ動作及び同じ効果についても、その説明を省略する。
【００５４】
図８は本発明の第２の実施の形態におけるトレイ式カードソケットのトレイへの挿入前の状態を示す上方から見た斜視図である。なお、図８においては、第１ガイド突起及び第２ガイド突起並びにガイド溝以外の部材の図示が適宜省略されている。
【００５５】
本実施の形態において、トレイ４１の第１側壁部４２ｂ及び第２側壁部４２ｃの外側壁面には、第１ガイド突起４６及び第２ガイド突起４７の代わりにガイド溝１７が形成され、また、トレイホルダ１１の第１側壁部１２ｂ及び第２側壁部１２ｃの内側壁面には、ガイド溝１７の代わりに第１ガイド突起４６及び第２ガイド突起４７が形成されている。なお、図８において、底板部１４に形成された接続端子収容孔１５及び該接続端子収容孔１５内に配設された接続端子１６は、図示が省略されているが、前記第１の実施の形態と同様である。
【００５６】
この場合、ガイド溝１７は、単一の段差部を備え、前記第１の実施の形態におけるガイド溝１７と上下の関係が逆になっている。すなわち、ガイド溝１７の奥側（図８における左下側）に形成された第１段差部１７ａを備えているが、前記第１の実施の形態における第２段差部１７ｂは備えていない。そして、ガイド溝１７の少なくとも下面の位置は、ガイド溝１７の入口側（図８における右上側）に形成された開放端部から奥側の端部に向けて進行するに従い、次のように変化するように形成されている。すなわち、開放端部において最も低く、そのままの高さで底板部１４上面と平行に進行し、第１段差部１７ａにおいて一段上昇し、そのままの高さで底板部１４上面と平行に進行し奥側の端部に到達する。また、第１ガイド突起４６は第２ガイド突起４７より低い位置に配設される。
【００５７】
そして、第１ガイド突起４６が第１段差部１７ａを通過すると、トレイ４１が底板部１４と平行な状態を保ちながら下方に移動させられ、底板部１４の上面に接近させられる。また、第２ガイド突起４７の位置決め突起４７ａがガイド溝１７の開放端部に挿入されると、前記位置決め突起４７ａの傾斜面、すなわち、第２ガイド突起４７の傾斜面がガイド溝１７の開放端部に当接し、ガイド溝１７に挿入されることによって、下方に移動させる力がトレイ４１に加えられる。そのため、カード５１の下面が底板部１４の上面に接近するので、接続端子１６のばね力が強くなり、各接続端子１６の接続部が対応するコンタクトパッド５２に押付けられる。これにより、各接続端子１６の接続部と対応するコンタクトパッド５２とが電気的に確実に接続される。
【００５８】
その他の点の構成については、前記第１の実施の形態と同様であるので、説明を省略する。また、トレイ４１をトレイホルダ１１内に挿入する際の動作についても、前記第１の実施の形態と同様であるので、説明を省略する。
【００５９】
次に、本発明の第３の実施の形態について説明する。なお、第１及び第２の実施の形態と同じ構造を有するものについては、同じ符号を付与することによってその説明を省略する。また、前記第１及び第２の実施の形態と同じ動作及び同じ効果についても、その説明を省略する。
【００６０】
図９は本発明の第３の実施の形態におけるトレイ式カードソケットのトレイへの挿入前の状態を示す上方から見た斜視図である。なお、図９においては、第１ガイド突起及び第２ガイド突起の部材の図示が適宜省略されている。
【００６１】
本実施の形態においては、トレイ４１がトレイホルダ１１の周囲に覆い被さるようにして、トレイホルダ１１に結合される。そして、トレイ４１の第１側壁部４２ｂ及び第２側壁部４２ｃの内側壁面にはガイド溝１７が形成され、また、トレイホルダ１１の第１側壁部１２ｂ及び第２側壁部１２ｃの外側壁面には、第１ガイド突起４６及び第２ガイド突起４７が形成されている。なお、図９において、底板部１４に形成された接続端子収容孔１５及び該接続端子収容孔１５内に配設された接続端子１６は、図示が省略されているが、前記第１及び第２の実施の形態と同様である。
【００６２】
この場合、ガイド溝１７は、前記第２の実施の形態と同様に、前記第１の実施の形態におけるガイド溝１７と上下の関係が逆になっている。また、また、第１ガイド突起４６も、前記第２の実施の形態と同様に、第２ガイド突起４７より高い位置に配設される。
【００６３】
その他の点の構成については、前記第１及び第２の実施の形態と同様であるので、説明を省略する。また、トレイ４１をトレイホルダ１１に結合する際の動作についても、前記第１及び第２の実施の形態と同様であるので、説明を省略する。
【００６４】
なお、本発明は前記実施の形態に限定されるものではなく、本発明の趣旨に基づいて種々変形させることが可能であり、それらを本発明の範囲から排除するものではない。
【図面の簡単な説明】
【００６５】
【図１】本発明の第１の実施の形態におけるトレイ式カードソケットのカード装着前の状態を示す上方から見た斜視図である。
【図２】本発明の第１の実施の形態におけるトレイ式カードソケットのカード装着前の状態を示す下方から見た斜視図である。
【図３】本発明の第１の実施の形態におけるカードを保持するトレイをトレイホルダに挿入する前の状態を示す下方から見た斜視図である。
【図４】本発明の第１の実施の形態におけるカードを保持するトレイをトレイホルダに挿入する途中の状態を示す上方から見た斜視図である。
【図５】本発明の第１の実施の形態におけるカードを保持するトレイのトレイホルダへの挿入が完了した状態を示す上方から見た斜視図である。
【図６】本発明の第１の実施の形態におけるカードを保持するトレイのトレイホルダへの挿入が完了した状態を示す断面図である。
【図７】本発明の第１の実施の形態における第１ガイド突起及び第２ガイド突起とガイド溝との位置関係を示す断面図である。
【図８】本発明の第２の実施の形態におけるトレイ式カードソケットのトレイへの挿入前の状態を示す上方から見た斜視図である。
【図９】本発明の第３の実施の形態におけるトレイ式カードソケットのトレイへの挿入前の状態を示す上方から見た斜視図である。
【図１０】従来のトレイ式カードソケットを示す図である。
【符号の説明】
【００６６】
１０    トレイ式カードソケット
１１、３０１    トレイホルダ
１２    壁部
１２ａ、４２ｄ    奥壁部
１２ｂ、４２ｂ    第１側壁部
１２ｃ、４２ｃ    第２側壁部
１３    トレイ収容部
１３ａ    挿入口
１４    底板部
１５    接続端子収容孔
１６、３０４    接続端子
１７、１７−１、１７−２、３０６、３０７    ガイド溝
１７ａ    第１段差部
１７ｂ    第２段差部
１８    ロックレバー
１８ａ    回動軸
２１    ネイル
２２−１    第１収容凹部
２２−２    第２収容凹部
２３、３０５    はんだ端子
４１、３０２    トレイ
４２    保持壁部
４２ａ    手前壁部
４３    カード保持凹部
４４    天板部
４５    カード保持用板ばね部材
４６、４６−１、４６−２    第１ガイド突起
４７、４７−１、４７−２    第２ガイド突起
４７ａ    位置決め突起
５１    カード
５２    コンタクトパッド
３０３    保持用板ばね部材
３０８、３０９    ガイド突起
【図１】
2006324195.tif 000003
【図２】
2006324195.tif 000004
【図３】
2006324195.tif 000005
【図４】
2006324195.tif 000006
【図５】
2006324195.tif 000007
【図６】
2006324195.tif 000008
【図７】
2006324195.tif 000009
【図８】
2006324195.tif 000010
【図９】
2006324195.tif 000011
【図１０】
2006324195.tif 000012